【事件の表示】
　特願２００６−３４０６７０「復号化方法および符号化方法」拒絶査定不服審判事件〔平成２０年　７月　３日出願公開、特開２００８−１５４０１５〕について、次のとおり審決する。
【結　論】
　本件審判の請求は、成り立たない。
【理　由】
１．手続きの経緯、本願発明
　本願は、平成１８年１２月１９日の出願であって、その特許請求の範囲の請求項１ないし６に係る各発明は、平成２２年１１月２９日付け及び平成２３年３月１１日付け手続補正書により補正された明細書、特許請求の範囲又は図面の記載からみて、特許請求の範囲の請求項１ないし６にそれぞれ記載されたとおりのものであると認められるところ、請求項１に係る発明は次のとおりのものである。
「動画像の復号化方法であって、
　複数の参照画像を特定する第1の情報を受け取るステップと、
　前記第1の情報から特定した複数の参照画像間の動き探索を行うステップと、
　該動き探索により取得した動きベクトルと前記参照画像とから予測画像を生成するステップとを備えることを特徴とする動画像の復号化方法。」
　
２．引用例
（１）引用例の記載事項
　原査定の拒絶の理由に引用された、本願の出願前に頒布された刊行物である国際公開第２００６／０００５０４号のパンフレット（以下「引用例」という。特表２００８−５０３９４７号公報参照。）には、「Ｍethod and apparatus for generating coded picture data and for decoding coded picture data」（符号化されたピクチャデータを形成する方法および装置ならびに符号化されたピクチャデータを復号する方法および装置）に関し、図面とともに以下の事項が記載されている。なお、翻訳文及び翻訳文の記載箇所は前記公表公報による。 
　
（ａ）「Background
 Motion compensated temporal prediction is a well-known method for redundancy reduction in video signal compression. 
A prediction error signal and a motion vector for a current block are transmitted, describing the location of the predictor block or blocks in the reference frame or frames. 
Hence, part of the saved data rate for coding the source pixels is used for transmitting the motion vector data as side information.
 
 Invention
 A problem to be solved by the invention is to encode and decode video signals using less or no motion vector data side information. This problem is solved by the methods disclosed in claims 1 and 3. An apparatus that utilises the corresponding method is disclosed in claims 2 and 4, respectively.」（１頁１０ないし２９行）
《翻訳》
　背景技術
　動き補償された時間的な予測は、ビデオ信号の圧縮における冗長性を低減するための周知の方法である。目下のブロックに関する予測エラー信号およびモーションベクトルが伝送され、これは１つまたは複数の参照フレームにおける１つまたは複数の予測ブロックの位置を表す。したがって、ソースピクセルを符号化するために保存されているデータレートの部分は、副次的な情報としてのモーションベクトルを伝送するために使用される。
　発明の概要
　本発明により解決されるべき課題は、モーションベクトルデータのような副次的な情報を殆ど使用せずに、または全く使用せずにビデオ信号を符号化および復号化することである。この課題は請求項１および３に記載されている方法によって解決される。相応の方法を使用する装置は請求項２および４にそれぞれ記載されている。（段落【０００２】、【０００３】）
　
（ｂ）「Exemplary embodiments
 The baseline motion estimation process is executed in the encoder and in the decoder in a way that guarantees the same result on both sides. Assuming that this baseline motion estimation process consists of block matching, this requires definition of the same cost function (e.g. the sum of absolute frame pixel differences), of the resolution of the motion search (e.g. ±1/2 pixel accuracy), of the search range ±RNG (e.g. RNG=64 pixels) and of the search strategy (e.g. a full search or a specific, precisely defined hierarchical search) .
 
 The baseline motion estimation process is constrained such that the same motion assumption (and calculation) between the reference frames and the current frame Cur is shared by encoder and decoder. For example, in case of using a linear motion assumption and two reference frames R1 and R2 this means for each current block Bcur (X,Y) in a current frame Cur that the searched blocks Br1 and Br2 in the reference frames R1 and R2 are connected by a rule or formula that represents the temporal relation between the two reference frames and the current frame.
 
 Example l:
 The current frame is located at t=t0. There are two reference frames R1 and R2, both are located in the past at t=t0-T and t=t0-2T, respectively, whereby T is the frame period. In that case, motion vectors (Vx, Vy) are estimated for Bcur(X,Y) using the blocks Br1(X-Vx, Y-Vy ) and Br2(X-2Vx, Y-2Vy) as illustrated in Fig. 1 for a one-dimensional case, with Vx, Vy lying in the range [-RNG...RNG].
 
 Example 2: 
 The current frame is located at t=t0. There are two reference frames R1 and R2, one located in the past at t=t0-T and one in the future at t=t0+T, respectively. In that case, motion vectors (Vx, Vy) are estimated for Bcur(X,Y) using the blocks Br1(X-Vx, Y-Vy) and Br2(X+Vx, Y+Vy) as illustrated in Fig. 2 for a one-dimensional case, with Vx, Vy lying in the range [-RNG...RNG].」（６頁１６行ないし７頁２０行）
《翻訳》
　実施例
　ベースライン動き評価プロセスは、エンコーダにおいてもデコーダにおいても同一の結果を保証するようにエンコーダおよびデコーダにおいて実施される。このベースライン動き評価プロセスがブロックマッチングからなることを前提とし、このブロックマッチングは同一の費用関数の定義（例えば、絶対的なフレームピクセル差分の合計）、動きサーチの解像度の定義（例えば、±１／２ピクセルの精度）、サーチの範囲±ＲＮＧの定義（例えばＲＮＧ＝６４ピクセル）およびサーチストラテジの定義（例えば完全なサーチまたは別個に厳密に定義されている階層的なサーチ）を要求する。
　ベースライン動き評価プロセスには、参照フレームと目下のフレームＣｕｒとの間における同一の動きの仮定（および計算）がエンコーダとデコーダによって共有されるという条件が課される。例えば、線形の動き仮定および２つの参照フレームＲ1およびＲ2を使用する場合、このことは目下のフレームＣｕｒにおける各目下のブロックＢr1およびＢr2に関して、参照フレームＲ1およびＲ2においてサーチされるブロックＢr1およびＢr2が、２つの参照フレームと目下のフレームとの間における時間的な関係を表す規則または式によって繋がっているということを意味する。
　例１：
　目下のフレームはｔ＝ｔ0に位置する。２つの参照フレームＲ1およびＲ2が存在し、これら２つの参照フレームは過去においてｔ＝ｔ0−Ｔおよびｔ＝ｔ0−２Ｔにそれぞれ位置している。ここでＴはフレーム周期である。この場合には、モーションベクトル（ｖx，ｖy）が１次元の場合に関して図１に示されているように、Ｂcur（Ｘ，Ｙ）に関してブロックＢr1（Ｘ−ｖx，Ｙ−ｖy）およびＢr2（Ｘ−２ｖx，Ｙ−２ｖy）を使用して評価され、ここでｖx，ｖyは［−ＲＮＧ...ＲＮＧ］の範囲にある。
　例２：
　目下のフレームはｔ＝ｔ0に位置する。２つの参照フレームＲ1およびＲ2が存在し、これらのうち一方は過去においてｔ＝ｔ0−Ｔに、他方は未来においてｔ＝ｔ0＋Ｔにそれぞれ位置している。この場合には、モーションベクトル（ｖx，ｖy）が１次元の場合に関して図２に示されているように、Ｂcur（Ｘ，Ｙ）に関してブロックＢr1（Ｘ−ｖx，Ｙ−ｖy）およびＢr2（Ｘ＋ｖx，Ｙ＋ｖy）を使用して評価され、ここでｖx，ｖyは［−ＲＮＧ...ＲＮＧ］の範囲にある。（段落【００１５】ないし【００１８】）
　
（ｃ）「Multiple best matches
 The baseline motion estimation process for a given block may yield multiple candidate motion vectors with the same lowest cost function value. In that case an additional criterion for selecting the best match is needed. The choice which additional criteria to use depends on the kind of coding applied for non-default motion predictors that do require transmission of motion vector data in order to optimise motion vector data compression efficiency. 
 For example, if motion vector prediction is used, the match with the motion vector most similar to the motion vector predictor is chosen. Otherwise, the match (or block) located closest to the original block (i.e. the smallest absolute value of the motion vector) is chosen.
 
 Selection of default predictor block
 For an identified best-match motion vector both of the two blocks in the two reference frames are predictor candidates for current block Bcur in the current frame Cur. The actual predictor of current block Bcur can be for example one of these two best-matching blocks or the pixel-wise average of these two blocks, or any other weighted combination of these two blocks. If the two reference frames have different temporal distance to the current frame, it is advantageous to select the best-matching block from the reference frame that is located closer to the current frame Cur. If the two reference frames have the same temporal distance to the current frame (as in Example 2 above) it is advantageous to select the pixel-wise average of the two best-matching blocks as the best-matching block.
 
 Multiple reference frames
 The baseline motion estimation process can be extended to search into more than two reference frames. In that case, as an example, each set or pair of two reference frames and the current frame. Cur are subjected to the constrained prediction described above. A search between frames R1 and R2 as well as between frames R1 and R3 is illustrated in Fig.3. The default predictor is selected from the best-match blocks in either of these reference frame pairs, applying the rules about multiple best matches and selection of default predictor block as described above.」（７頁２２行ないし８頁２７行）
《翻訳》
　複数のベストマッチ
　所定のブロックに関するベースライン動き補償プロセスは、同一の最も低い費用関数値を有する複数の候補モーションベクトルを生じさせる可能性がある。この場合においては、ベストマッチを選択するための付加的な判定基準が必要とされる。どのような付加的な判定基準が使用されるべきかという選択は、非デフォルト動き予測量に適用される符号化の種類に依存し、これはモーションベクトルデータの圧縮効率を最適にするためにモーションベクトルデータの伝送を要求する。
　例えば、モーションベクトル予測が使用される場合には、モーションベクトル予測量に最も近いモーションベクトルとのマッチが選択される。さもなければ、オリジナルのブロックの最も近くに位置するマッチ（またはブロック）（すなわちモーションベクトルの最小絶対値）が選択される。
　デフォルト予測量ブロックの選択
　識別されたベストマッチモーションベクトルに関して、２つの参照フレームにおける２つのブロックは両方とも目下のフレームＣｕｒにおける目下のブロックＢcurに関する予測量候補である。目下のブロックＢcurの実際の予測量は例えば、これら２つのベストマッチしているブロックの内の一方のブロックであるか、これら２つのブロックのピクセル毎の平均であるか、これら２つのブロックのあらゆる重み付けされた組み合わせが考えられる。２つの参照フレームが目下のフレームに対して異なる時間的な距離を有する場合には、目下のフレームＣｕｒの最も近くに位置する参照フレームからベストマッチしているブロックを選択することが有利である。（上記の例２のように）２つの参照フレームが目下のフレームに対して同一の時間的な距離を有する場合には、ベストマッチしている２つのブロックのピクセル毎の平均をベストマッチしているブロックとして選択することは有利である。
　複数の参照フレーム
　ベースライン動き評価プロセスを２つ以上の参照フレームをサーチするために拡張することができる。その場合においては、例えば、２つの参照フレームと目下のフレームＣｕｒの各セットまたはペアに上記の条件付予測が適用される。フレームＲ1とＲ2の間のサーチならびにフレームＲ1とＲ3の間のサーチが図３に示されている。デフォルト予測はこれらの参照フレームペアのいずれかにおけるベストマッチブロックから選択され、上述のように複数のベストマッチおよびデフォルト予測ブロックに関する規則が適用される。（段落【００１９】ないし【００２２】）
　
（ｄ）「In Fig. 5 the video data input signal IE of the encoder contains e.g. 16*16 macroblock data including luminance and chrominance pixel blocks for encoding. In case of video data to be intraframe or intrafield coded (I mode) they pass a subtractor SUB unmodified. Thereafter the e.g. 8*8 pixel blocks of the 16*16 macroblocks are processed in discrete cosine transform means DCT and in quantising means Q, and are fed via an entropy encoder ECOD to a multiplexer MUX which outputs the encoder video data output signal OE. Entropy encoder ECOD can carry out Huffman coding for the quantised DCT coefficients. In the multiplexer MUX header information and motion vector data MV and possibly encoded audio data are combined with the encoded video data.
　
 In case of video data to be interframe or interfield coded (P or B mode, P means 'predicted' and B means 'bidirectionally predicted'), predicted macroblock data PMD are subtracted on a block basis from the input signal IE in subtractor SUB, and 8*8 block difference data are fed via transform means DCT and quantising means Q to the entropy encoder ECOD. The output signal of quantising means Q is also processed in corresponding inverse quantising means QE-1, the output signal of which is fed via corresponding inverse discrete cosine transform means DCTE-1 to the combiner ADDE in the form of reconstructed block or macroblock difference data RMDD. The output signal of ADDE is bufferstored in a picture store in motion compensation means FS_MC_E, which carry out motion compensation for reconstructed macroblock data and output correspondingly predieted macroblock data PMD to the subtracting input of SUB and to the other input of the combiner ADDE. The characteristics of the quantising means Q and the inverse quantising means QE-1 controlled e.g. by the occupancy level of an encoder buffer in entropy encoder ECOD. A motion estimator ME receives the input signal IE and provides motion compensation means FS_MC_E with the necessary motion information and provides multiplexer MUX with motion vector data MV for transmission to, and evaluation in, a corresponding decoder. QE-1, DCTE-1, ADDE and FS_MC_E constitute a simulation of the receiver-end decoder, which is described in connection with Fig. 6.
 Motion estimator ME calculates motion information including motion vectors in two basically different modes of which the first one is described above. The second mode is related to the invention. In this second mode, ME does not use picture data from the input signal IE but instead uses data from reconstructed pictures (frames or fields) provided by motion compensation means FS_MC_E. FS_MC_E and ME include memories for storing the above-mentioned required reference pictures R1 and R2, or R1, R2 and R3. In the second mode, too, ME provides motion compensator FS_MC_E with motion vector data, but does not transfer the motion vector data MV to multiplexer MUX. Instead, it signals via an internal motion vector flag IMVF to multiplexer MUX (and thereby to the receiver-side decoders) that the internally calculated motion vector data IMV (see Fig. 6) are to be used in the motion compensation at receiver side. The internal motion vector flag IMVF can be a separate flag, or it can be hidden in a special code word for motion vector data or motion information data. 」（１０頁１３行ないし１１頁３５行）
《翻訳》
 図５には、エンコーダのビデオデータ入力信号ＩＥが示されており、この信号は例えば１６＊１６のマクロブロックデータを含んでおり、このマクロブロックデータは符号化のために輝度ピクセルブロックおよびクロミナンスピクセルブロックを包含する。フレーム内符号化またはフィールド内符号化されるべきビデオデータ（Ｉモード）の場合には、これらのビデオデータは変更されることなく減算器ＳＵＢを通過する。その後、１６＊１６のマクロブロックの８＊８のピクセルブロックが離散コサイン変換手段ＤＣＴおよび量子化手段Ｑにおいて処理され、エントロピーエンコーダＥＣＯＤを介してマルチプレクサＭＵＸに供給され、このマルチプレクサＭＵＸはエンコーダビデオデータ出力信号ＯＥを出力する。エントロピーエンコーダＥＣＯＤは量子化されたＤＣＴ係数に対してホフマン符号化を実行することができる。マルチプレクサＭＵＸにおいては、ヘッダ情報とモーションベクトルデータＭＶと、場合によっては符号化されたオーディオデータが符号化されたビデオデータと結合される。
 フレーム間符号化またはフィールド間符号化されるべきビデオデータ（ＰモードまたはＢモード、Ｐは「予測された」を意味し、またＢは「双方向に予測された」を意味する）の場合には、予測されたマクロブロックデータＰＭＤがブロックベースで入力信号ＩＥから減算器ＳＵＢにおいて減算され、８＊８のブロック差分データが変換手段ＤＣＴおよび量子化手段Ｑを介してエントロピーエンコーダＥＣＯＤに供給される。量子化手段Ｑの出力信号も相応の逆量子化手段 QE-1において処理され、その出力信号は相応の逆離散コサイン変換手段ＤＣTE-1を介して結合器ＡＤＤＥに、復元されたブロックまたはマクロブロック差分データＲＭＤＤの形態で供給される。ＡＤＤＥの出力信号は動き補償手段ＦＳ＿ＭＣ＿Ｅにおけるピクチャ記憶部にバッファされ、この動き補償手段ＦＳ＿ＭＣ＿Ｅは復元されたマクロブロックデータに対して動き補償を実行し、したがって予測されたマクロブロックデータＰＭＤを減算器ＳＵＢの減算入力側、および結合器ＡＤＤＥの他方の入力側に出力する。量子化手段Ｑおよび逆量子化手段 QE-1の特性は、エントロピーエンコーダＥＣＯＤにおけるエンコーダバッファの占有レベルによって制御される。動き評価器ＭＥは入力信号ＩＥを受信し、動き補償手段ＦＳ＿ＭＣ＿Ｅに所要の動き情報を供給し、またマルチプレクサＭＵＸに相応のデコーダへの伝送のため、またそのデコーダにおける評価のためにモーションベクトルデータＭＶを供給する。 QE-1、ＤＣTE-1、ＡＤＤＥおよびＦＳ＿ＭＣ＿Ｅは受信器エンドデコーダをシミュレートする。これについては図６に関連させて説明する。
 動き評価器ＭＥは２つの基本的に異なるモードにおけるモーションベクトルを包含する動き情報を計算する。これらのモードのうちの最初のモードは上述してある。第２のモードが本発明に関連する。この第２のモードにおいては、動き評価器ＭＥは入力信号ＩＥからのピクチャデータは使用しないが、その代わりに動き補償手段ＦＳ＿ＭＣ＿Ｅから供給される復元されたピクチャ（フレームまたはフィールド）からのデータを使用する。ＦＳ＿ＭＣ＿ＥおよびＭＥは上述の必要とされる参照ピクチャＲ1およびＲ2またはＲ1，Ｒ2およびＲ3を格納するためのメモリを有する。第２のモードにおいても、ＭＥは動き補償器ＦＳ＿ＭＣ＿Ｅにモーションベクトルデータを供給するが、モーションベクトルデータＭＶをマルチプレクサＭＵＸには伝送しない。その代わりに、ＭＥは内部モーションベクトルフラグＩＭＶＦを介してマルチプレクサＭＵＸ（またこれにより受信器側のデコーダ）に対して、内部的に計算されたモーションベクトルデータＩＭＶ（図６を参照されたい）は受信器側における動き補償に使用されるべきことを通知する。内部モーションベクトルフラグＩＭＶＦは別個のフラグでもよい。またはこの内部モーションベクトルをモーションベクトルデータまたはモーション情報データに関する空間符号語に隠すことができる。（段落【００２９】ないし【００３１】）
　
（ｅ）「In Fig.6 the encoded video data input signal ID is fed via a demultiplexer DEMUX, entropy decoder means EDEC, inverse quantising means QD-1 and inverse discrete cosine transform means DCTD-1 to a combiner ADDD, which outputs the video data output signal OD.  EDEC can carry out e.g. Huffman decoding for the Huffman encoded and quantised coefficients. Demultiplexer DEMUX correspondingly separates bitstream header information, encoded video data, video data type data (I, P, B) , and motion information data like internal motion vector flag data IMVF and motion vector data MV. 
 QD-1 and DCTD-1 and EDEC have a function which is the corresponding inverse of the functions of Q, DCT and ECOD in the encoder of Fig.5, related to the corresponding macroblock and pixel block sizes. The output signal of ADDD is intermediately stored in a picture data buffer in motion compensation means FS_MC_D, FS_MC_D effecting a motion compensation for reconstructed macroblock data according to the transmitted motion vector data MV or the internally generated motion vector data IMV, and outputting in case of P or B mode correspondingly predicted block or macroblock data PMD to the other input of adder ADDD in which the predicted data are combined on a block basis with the received block difference data. In case of I mode no predicted picture data are applied to the second input of adder ADDD.
 The status of IMVF determines whether the motion compensation means FS_MC_D use the transmitted and received motion vector data MV or the motion vector data IMV internally generated in internal motion estimator IME. FS_MC_D and IME include memories for storing the above-mentioned required reference pictures R1 and R2, or R1, R2 and R3. As explained above, ME in the encoder and IME in the decoder are estimating motion in the picture content (i.e. motion for the picture content of blocks or macroblocks) based on the same reference picture data, using the same motion estimation processing, and thus leading to the same content of their motion information output data. Instead of means DCT, Q, QE-1 ,DCTE-1 and ECOD in the encoder and instead of means DCOD, Q,QE-1 and DCTE-1　in the decoder, any other type of coding/decoding loop can be used which includes motion prediction and compensation.」（１２頁１行ないし１３頁４行） 
《翻訳》
　図６においては、符号化されたビデオデータ入力信号ＩＤがデマルチプレクサＤＥＭＵＸ、エントロピーデコーダ手段ＥＤＥＣ、逆量子化手段ＱD-1および逆離散コサイン変換手段ＤＣＴD-1を介して結合器ＡＤＤＤに供給され、この結合器ＡＤＤＤはビデオデータ出力信号ＯＤを出力する。ＥＤＥＣは例えば、ホフマン符号化され、量子化された係数に対してホフマン復号化を実行することができる。したがってデマルチプレクサＤＥＭＵＸはビットストリームヘッダ情報、符号化されたビデオデータ、ビデオデータタイプのデータ（Ｉ，Ｐ，Ｂ）、また内部モーションベクトルフラグデータＩＭＶＦおよびモーションベクトルデータＭＶのようなモーション情報データを分離する。
　ＱD-1、ＤＣＴD-1およびＥＤＥＣは、相応のマクロブロックおよびピクセルブロックサイズに関連する、図５のエンコーダにおけるＱ、ＤＣＴおよびＥＣＯＤの関数の逆数に相応する関数を有する。ＡＤＤＤの出力信号は動き補償手段ＦＳ＿ＭＣ＿Ｄ、ＦＳ＿ＭＣ＿Ｄにおけるピクチャデータバッファに中間記憶され、伝送されたモーションベクトルデータＭＶまたは内部的に形成されたモーションベクトルデータＩＭＶに従い復元されたマクロブロックデータに対する動き補償に作用を及ぼし、またＰモードまたはＢモードの場合においては、相応に予測されたブロックまたはマクロブロックデータＰＭＤを加算器ＡＤＤＤの他方の入力側に出力し、この加算器ＡＤＤＤにおいては予測されたデータがブロックベースで受信したブロック差分データに結合される。Ｉモードの場合には、非予測ピクチャデータが加算器ＡＤＤＤの第２の入力側に供給される。
　ＩＭＶＦの状態は、動き補償手段ＦＳ＿ＭＣ＿Ｄが伝送されてきて受信したモーションベクトルデータＭＶまたは内部動き評価器ＩＭＥにおいて形成されたモーションベクトルデータＩＭＶを使用するか否かを決定する。ＦＳ＿ＭＣ＿ＥおよびＩＭＥは上記の必要とされる参照ピクチャＲ1およびＲ2またはＲ1，Ｒ2およびＲ3を記憶するためのメモリを有する。上述したように、エンコーダにおけるＭＥおよびデコーダにおけるＩＭＥは、同一の動き評価プロセスを使用し、したがってその動き情報出力データの同一のコンテントへと導く、同一の参照ピクチャデータに基づきピクチャコンテント（すなわち、ブロックまたはマクロブロックのピクチャコンテントに関する動き）を評価している。エンコーダにおける手段ＤＣＴ，Ｑ，ＱE-1，ＤＣＴE-1およびＥＣＯＤの代わりに、またデコーダにおけるＤＣＯＤ，ＱE-1およびＤＣＴE-1の代わりに、動き予測および動き補償を含む、あらゆるタイプの符号化／復号化ループを使用することができる。（段落【００３２】ないし【００３４】）
　
（ｆ）「Claims
 3. Method for decoding coded picture data (ID) which were encoded (SUB, DCT, Q, QE -1 , DCTE-1 , ECOD, ADDE) using motion estimation (ME) and motion compensation (FS_MC_E) , characterised by the steps:
 extracting (DEMUX) from said coded picture data, for a current pixel block or macroblock (B cur ) , or for a current picture, which was encoded in a temporally predictive mode, motion processing information (IMVF) indicating whether or not said current pixel block or macroblock, or said current picture, is to be decoded using motion vector data (MV) included in said coded picture data,
 and calculating (IME) - in case coded picture data included motion vector data are not to be used - for said current pixel block or macroblock (B cur ) , said current pixel block or macroblock belonging to a current picture (Cur) , related motion vector information according to predetermined rules using reconstructed picture information from at least two reference pictures (R1, R2, R3) which do not include said current picture, wherein said predetermined rules correspond to the predetermined rules which were applied when encoding said current pixel block or macroblock;
 performing a motion compensation (FS_MC_D) for said current pixel block or macroblock using said calculated motion vector information and corresponding picture information from at least one of said reference pictures.」（１６頁８行ないし１６頁３４行） 
《翻訳》
【請求項３】
  動き評価（ＭＥ）および動き補償（ＦＳ＿ＭＣ＿Ｅ）を使用して符号化（ＳＵＢ，ＤＣＴ，Ｑ，ＱE-1，ＤＣＴE-1，ＥＣＯＤ，ＡＤＤＥ）された符号化ピクチャデータ（ＩＤ）を復号化する方法において、
−目下のピクセルブロックまたはマクロブロック（Ｂcur）に関して、または目下のピクチャに関して、時間的な予測モードにおいて符号化された前記符号化ピクチャデータから、前記目下のピクセルブロックまたはマクロブロック、または前記目下のピクチャは前記符号化ピクチャデータに包含されるモーションベクトルデータ（ＭＶ）を使用して復号化すべき否かを表す動きプロセス情報（ＩＭＶＦ）を抽出するステップを有し、
−モーションベクトルデータに含まれる符号化ピクチャデータが使用されるべきでない場合には、前記目下のピクセルブロックまたはマクロブロック（Ｂcur）、目下のピクチャ（Ｃｕｒ）に属する前記目下のピクセルブロックまたはマクロブロックに関して、関連するモーションベクトル情報を、事前に定められた規則に従い、復元されたピクチャ情報を使用して、前記目下のピクチャを含まない少なくとも２つの参照ピクチャ（Ｒ1，Ｒ2，Ｒ3）から計算するステップを有し、ここで前記事前に定められた規則は前記目下のピクセルブロックまたはマクロブロックを符号化する際に適用された事前に定められた規則に対応し、
−前記目下のピクセルブロックまたはマクロブロックに対して、前記計算されたモーションベクトル情報および対応するピクチャ情報を使用して、少なくとも１つの前記参照ピクチャから動き補償（ＦＳ＿ＭＣ＿Ｅ）を実施するステップとを有することを特徴とする、符号化ピクチャデータ（ＩＤ）を復号化する方法。（特許請求の範囲【請求項３】）
　
（２）引用例に記載された発明
　ア　符号化されたビデオデータを復号化する方法
　
　引用例の前掲記載（ａ）、（ｅ）、（ｆ）によれば、引用例には、モーションベクトルデータのような副次的な情報を殆ど使用せずに、または全く使用せずに、符号化されたビデオデータを復号化する方法が記載されている。
　
　イ　符号化されたビデオデータ入力信号ＩＤがデマルチプレクサＤＥＭＵＸ、エントロピーデコーダ手段ＥＤＥＣ、逆量子化手段ＱD-1および逆離散コサイン変換手段ＤＣＴD-1を介して結合器ＡＤＤＤに供給されるステップ
　
　引用例の前掲記載（ａ）、（ｅ）、（ｆ）によれば、符号化されたビデオデータを復号化する方法は、符号化されたビデオデータ入力信号ＩＤがデマルチプレクサＤＥＭＵＸ、エントロピーデコーダ手段ＥＤＥＣ、逆量子化手段ＱD-1および逆離散コサイン変換手段ＤＣＴD-1を介して結合器ＡＤＤＤに供給されるステップを有し、
上記デマルチプレクサＤＥＭＵＸでは、ビデオデータ入力信号ＩＤから、ビットストリームヘッダ情報、符号化されたビデオデータ、ビデオデータタイプのデータ（Ｉ，Ｐ，Ｂ）、また内部モーションベクトルフラグデータＩＭＶＦおよびモーションベクトルデータＭＶのようなモーション情報データを分離することが記載されている。
　
　ウ　モーションベクトル情報を、少なくとも２つの参照ピクチャから計算するステップ
　
　引用例の前掲記載（ｄ）ないし（ｆ）によれば、符号化されたビデオデータを復号化する方法は、前記分離した内部モーションベクトルフラグデータＩＭＶＦが、内部的に計算されたモーションベクトルデータＩＭＶが受信器側における動き補償に使用されるべきことを表す場合、目下のピクチャに属する目下のマクロブロックに関して、関連するモーションベクトル情報を、事前に定められた規則に従い、復元されたピクチャ情報を使用して、目下のピクチャを含まない少なくとも２つの参照ピクチャから計算するステップを有し、前記事前に定められた規則は前記目下のマクロブロックを符号化する際に適用された事前に定められた規則に対応することが記載されている。
　
　エ　目下のマクロブロックに対して、前記計算されたモーションベクトル情報および対応するピクチャ情報を使用して、少なくとも１つの前記参照ピクチャから動き補償を実施するステップ
　
　引用例の前掲記載（ｄ）ないし（ｆ）によれば、符号化されたビデオデータを復号化する方法は、前記目下のマクロブロックに対して、前記計算されたモーションベクトル情報および対応するピクチャ情報を使用して、少なくとも１つの前記参照ピクチャから動き補償（ＦＳ＿ＭＣ＿Ｅ）を実施するステップを有することが記載されている。
　
　オ　まとめ
　上記アないしエによれば、引用例には下記のような発明（以下「引用発明」という。）が開示されていると認めることができる。
　　　　　　　記（引用発明）
「モーションベクトルデータのような副次的な情報を殆ど使用せずに、または全く使用せずに、符号化されたビデオデータを復号化する方法であって、
　符号化されたビデオデータ入力信号ＩＤがデマルチプレクサＤＥＭＵＸ、エントロピーデコーダ手段ＥＤＥＣ、逆量子化手段ＱD-1および逆離散コサイン変換手段ＤＣＴD-1を介して結合器ＡＤＤＤに供給されるステップを有し、上記デマルチプレクサＤＥＭＵＸでは、ビデオデータ入力信号ＩＤから、ビットストリームヘッダ情報、符号化されたビデオデータ、ビデオデータタイプのデータ（Ｉ，Ｐ，Ｂ）、また内部モーションベクトルフラグデータＩＭＶＦおよびモーションベクトルデータＭＶのようなモーション情報データを分離し、
　前記分離した内部モーションベクトルフラグデータＩＭＶＦが、内部的に計算されたモーションベクトルデータＩＭＶが受信器側における動き補償に使用されるべきことを表す場合、目下のピクチャに属する目下のマクロブロックに関して、関連するモーションベクトル情報を、事前に定められた規則に従い、復元されたピクチャ情報を使用して、目下のピクチャを含まない少なくとも２つの参照ピクチャから計算するステップを有し、前記事前に定められた規則は前記目下のマクロブロックを符号化する際に適用された事前に定められた規則に対応し、
　前記目下のマクロブロックに対して、前記計算されたモーションベクトル情報および対応するピクチャ情報を使用して、少なくとも１つの前記参照ピクチャから動き補償（ＦＳ＿ＭＣ＿Ｅ）を実施するステップを有する、
　符号化されたビデオデータを復号化する方法」
　
３．対比
　本願の請求項１に係る発明（以下「本願発明」という。）と引用発明とを対比すると次のことが認められる。
　
（イ）動画像の復号化方法
　
　引用発明は、モーションベクトルデータのような副次的な情報を殆ど使用せずに、または全く使用せずに、符号化されたビデオデータを復号化する方法に係る発明であって、ビデオデータが動画像であることは明らかであることから、引用発明は本願発明と同様に、「動画像の復号化方法」に係る発明であるといえる。
　
（ロ）複数の参照画像を特定する第1の情報を受け取るステップ
　
　本願発明の動画像の復号化方法においては、複数の参照画像を特定する情報を含む符号化ストリームを受け取り、当該符号化ストリームを復号化するところ、引用発明は、符号化されたビデオデータ入力信号ＩＤがデマルチプレクサＤＥＭＵＸに入力され、復号化されるものであり、
本願発明での符号化ストリームと引用発明での符号化されたビデオデータ入力信号はともに符号化情報といえることから、引用発明と本願発明とは、「符号化情報を受け取るステップ」を備える点で共通するといえる。
　しかしながら、本願発明は、「複数の参照画像を特定する第１の情報を受け取るステップ」を備えるのに対し、引用発明では、そのような情報を受け取るステップを備えていない点で相違する。
　
（ハ）前記第1の情報から特定した複数の参照画像間の動き探索を行うステップ
　
　本願発明の動画像の復号化方法は、前記第1の情報から特定した複数の参照画像間の動き探索を行うステップを備えているところ、引用発明では、内部モーションベクトルフラグデータＩＭＶＦが、内部的に計算されたモーションベクトルデータＩＭＶが受信器側における動き補償に使用されるべきことを表す場合、目下のピクチャに属する目下のマクロブロックに関して、関連するモーションベクトル情報を、目下のピクチャを含まない少なくとも２つの参照ピクチャから計算するステップを有しており、
引用発明の参照ピクチャは本願発明の参照画像といえ、また、引用発明での関連するモーションベクトル情報を、少なくとも２つの参照ピクチャから計算することは、本願発明の複数の参照画像間の動き探索を行うことといえることから、引用発明と本願発明とは、「複数の参照画像間の動き探索を行うステップ」を備える点で共通するといえる。
　もっとも、本願発明では、複数の参照画像が、前記第１の情報から特定したものであるのに対し、引用発明では、そのようなものであるとはしていない点で相違する。
　
（ニ）該動き探索により取得した動きベクトルと前記参照画像とから予測画像を生成するステップ
　
　本願発明の動画像の復号化方法は、動き探索により取得した動きベクトルと前記参照画像とから予測画像を生成するステップを備えているところ、引用発明では、目下のマクロブロックに対して、前記計算されたモーションベクトル情報および対応するピクチャ情報を使用して、少なくとも１つの前記参照ピクチャから動き補償（ＦＳ＿ＭＣ＿Ｅ）を実施するステップを有しており、
引用発明での前記計算されたモーションベクトル情報が、本願発明での動き探索により取得した動きベクトルといえ、また、引用発明では、目下のマクロブロックに対して、モーションベクトル情報と参照ピクチャから動き補償を実施していることから、当該モーションベクトル情報と参照ピクチャから予測画像を生成し、目下のマクロブロックに対して動き補償をしていることは明らかであり、そうすると、引用発明は本願発明と同様に、「動き探索により取得した動きベクトルと前記参照画像とから予測画像を生成するステップ」を備えているといえる。
　
　以上の対比結果によれば、本願発明と引用発明との一致点、相違点は次のとおりであると認めることができる。
［一致点］
「動画像の復号化方法であって、
　複数の参照画像間の動き探索を行うステップと、
　該動き探索により取得した動きベクトルと前記参照画像とから予測画像を生成するステップとを備えることを特徴とする動画像の復号化方法。」である点。
　
［相違点］
　本願発明は、「複数の参照画像を特定する第１の情報を受け取るステップ」を備え、「前記第１の情報から特定した」複数の参照画像間の動き探索を行うのに対し、引用発明では、そのような情報を受け取るステップを備えておらず、また、複数の参照画像が、前記第１の情報から特定したものであるとはしていない点。
　
４．判断
　そこで上記相違点について検討する。
　引用発明は、モーションベクトルデータのような副次的な情報を殆ど使用せずに、または全く使用せずに、符号化されたビデオデータを復号化する方法であって、
　符号化されたビデオデータ入力信号ＩＤから分離した内部モーションベクトルフラグデータＩＭＶＦが、内部的に計算されたモーションベクトルデータＩＭＶが受信器側における動き補償に使用されるべきことを表す場合、目下のピクチャに属する目下のマクロブロックに関して、関連するモーションベクトル情報を、事前に定められた規則に従い、復元されたピクチャ情報を使用して、目下のピクチャを含まない少なくとも２つの参照ピクチャから計算するステップを有し、前記事前に定められた規則は前記目下のマクロブロックを符号化する際に適用された事前に定められた規則に対応し、
　前記目下のマクロブロックに対して、前記計算されたモーションベクトル情報および対応するピクチャ情報を使用して、少なくとも１つの前記参照ピクチャから動き補償（ＦＳ＿ＭＣ＿Ｅ）を実施するステップを有する、符号化されたビデオデータを復号化する方法に係るものである。
　
　一方、引用例の前掲記載（ｂ）、（ｃ）によれば、
　引用例には、ベースライン動き評価プロセス（関連するモーションベクトル情報を、復元されたピクチャ情報を使用して、目下のピクチャを含まない少なくとも２つの参照ピクチャから計算するプロセス）として、
　２つの参照フレームＲ1およびＲ2を使用し、これら２つの参照フレームは両方とも目下のピクチャよりも過去に位置している例（例１）、
　２つの参照フレームＲ1およびＲ2を使用し、これらのうち一方は目下のピクチャよりも過去に位置し、他方は目下のピクチャよりも未来に位置している例（例２）が記載され（例１、２とも、引用例の前掲記載（ｂ）参照）、
　さらに、２つ以上の参照フレームをサーチするために拡張することができ、その場合においては、例えば、２つの参照フレームと目下のフレームＣｕｒの各セットまたはペアに上記の条件付予測が適用され、図３にフレームＲ1とＲ2の間のサーチならびにフレームＲ1とＲ3の間のサーチが示され、デフォルト予測はこれらの参照フレームペアのいずれかにおけるベストマッチブロックから選択されること（例３）が記載されている（引用例の前掲記載（ｃ）参照）。
　
　引用発明は、上記のとおり、
　内部モーションベクトルフラグデータＩＭＶＦが、内部的に計算されたモーションベクトルデータＩＭＶが受信器側における動き補償に使用されるべきことを表す場合、目下のピクチャに属する目下のマクロブロックに関して、関連するモーションベクトル情報を、
事前に定められた規則に従い、
事前に定められた規則は前記目下のマクロブロックを符号化する際に適用された事前に定められた規則に対応
　一方、引用例には、上記のとおり、関連するモーションベクトル情報を、復元されたピクチャ情報を使用して、目下のピクチャを含まない少なくとも２つの参照ピクチャから計算するステップの前記参照ピクチャとして、
　２つの参照フレームＲ1およびＲ2を使用し、これら２つの参照フレームは両方とも目下のピクチャよりも過去に位置しているもの、
　２つの参照フレームＲ1およびＲ2を使用し、これらのうち一方は目下のピクチャよりも過去に位置し、他方は目下のピクチャよりも未来に位置しているもの、
　２つ以上の参照フレームをサーチするために拡張したものであって、例えば、２つの参照フレームＲ1とＲ2の間のサーチならびにフレームＲ1とＲ3の間のサーチ各セットまたはペアに適用され、これらの参照フレームペアのいずれかにおけるベストマッチブロックから選択されるものを用いる手法が開示され、
　すなわち、引用例には、関連するモーションベクトル情報を、復元されたピクチャ情報を使用して、目下のピクチャを含まない少なくとも２つの参照ピクチャから計算するステップにおいて、参照する少なくとも２つのピクチャの異なる組み合わせが複数あり、これらの複数の組み合わせのそれぞれが、関連するモーションベクトル情報を計算する少なくとも２つの参照ピクチャとして使用されることが開示されており、
　また、引用発明が開示するようなビデオデータの符号化、復号化において、符号化効率、動き補償の効率等を考慮して、複数の参照ピクチャの中から最適なものを選択して動き補償を行うことは普通に行われていることからすると、
　引用発明において、参照する少なくとも２つのピクチャを、目下のマクロブロックを符号化する際に適用された事前に定められた規則として定めておくことに変えて、
　ビデオデータを符号化する際、符号化効率、動き補償の効率等を考慮して符号化する画像の内容等に応じて、最適な参照する少なくとも２つのピクチャを選択、特定するようにし、当該参照する少なくとも２つのピクチャを特定する情報を送信するとともに、復号化する際、符号化の際に適用された動き補償処理と同じ動き補償処理とするために、送信された前記情報から参照する少なくとも２つのピクチャを特定し、目下のピクチャに属する目下のマクロブロックに関して、関連するモーションベクトル情報を、当該特定された少なくとも２つの参照ピクチャから計算するように構成することは、当業者であれば容易に想到し得たことであると認められる。
　
　また、本願発明の効果についてみても、上記構成の採用に伴って当業者が当然に予測し得る程度のものにすぎず、格別顕著なものがあるとはいえない。
　
５．むすび
　以上のとおり、請求項１に係る本願発明は、引用例に記載された発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。